(57)【要約】【課題】簡素な構成でＢＣＡ情報（又はＮＢＣＡ情報）を正確に読み取る。【解決手段】ＤＶＤプレーヤ１００のＤＳＰ３２は、光ピックアップ１がミラー領域に位置しているか否かを判定する第１判定部３２３と、スレッドモータ５１の逆起電力を検出する逆起電力検出部３２４と、検出された逆起電力に基づいて光ピックアップ１が最内周位置に到達したか否かを判定する第２判定部３２５と、ミラー領域に位置していると判定された場合に移動方向を内周側へ設定すると共に、最内周位置に到達したと判定された場合に、移動方向を外周側へ設定する移動方向設定部３２６と、設定された移動方向に光ピックアップ１を予め設定された所定距離だけ移動させる駆動制御部３２７と、光ピックアップ１が移動される度にＢＣＡ情報又はＮＢＣＡ情報を読み取る読取実行部３２８と、を備えている。【選択図】図２
2008234698.tif 000002
【特許請求の範囲】
【請求項１】
光ディスクに格納されたＢＣＡ（Ｂｕｒｓｔ  Ｃｕｔｔｉｎｇ  Ａｒｅａ）情報又はＮＢＣＡ（Ｎａｒｒｏｗ  Ｂｕｒｓｔ  Ｃｕｔｔｉｎｇ  Ａｒｅａ）情報を読み出して再生する光ディスク再生装置であって、
光ピックアップが、ＢＣＡ又はＮＢＣＡの外周側に形成された未記録領域であるミラー領域に位置しているか否かを判定する第１判定手段と、
光ピックアップを光ディスクの径方向に駆動するスレッドモータの逆起電力を検出する逆起電力検出手段と、
前記逆起電力検出手段によって検出された逆起電力に基づいて、光ピックアップが最内周位置に到達したか否かを判定する第２判定手段と、
前記第１判定手段によって、光ピックアップがミラー領域に位置していると判定された場合に光ピックアップの移動方向を内周側へ設定すると共に、前記第２判定手段によって、光ピックアップが最内周位置に到達したと判定された場合に、光ピックアップの移動方向を外周側へ設定する移動方向設定手段と、
前記移動方向設定手段によって設定された移動方向に、光ピックアップを予め設定された所定距離だけ移動させる駆動制御手段と、
前記駆動制御手段によって光ピックアップが移動される度に、ＢＣＡ情報又はＮＢＣＡ情報を読み取る読取実行手段と、
を備え、
前記第１判定手段は、トラッキングエラー信号の振幅が予め設定された所定の閾値以下である場合に、ミラー領域に位置していると判定し、
前記第２判定手段は、前記逆起電力検出手段によって検出された逆起電力が予め設定された所定の閾値以下である場合に、光ピックアップが最内周位置に到達したと判定し、
前記所定距離は、０．０７ｍｍ以下に設定されていることを特徴とする光ディスク再生装置。
【請求項２】
光ディスクに格納されたＢＣＡ（Ｂｕｒｓｔ  Ｃｕｔｔｉｎｇ  Ａｒｅａ）情報又はＮＢＣＡ（Ｎａｒｒｏｗ  Ｂｕｒｓｔ  Ｃｕｔｔｉｎｇ  Ａｒｅａ）情報を読み出して再生する光ディスク再生装置であって、
光ピックアップが、ＢＣＡ又はＮＢＣＡの外周側に形成された未記録領域であるミラー領域に位置しているか否かを判定する第１判定手段と、
光ピックアップを光ディスクの径方向に駆動するスレッドモータの逆起電力を検出する逆起電力検出手段と、
前記逆起電力検出手段によって検出された逆起電力に基づいて、光ピックアップが最内周位置に到達したか否かを判定する第２判定手段と、
前記第１判定手段によって、光ピックアップがミラー領域に位置していると判定された場合に光ピックアップの移動方向を内周側へ設定すると共に、前記第２判定手段によって、光ピックアップが最内周位置に到達したと判定された場合に、光ピックアップの移動方向を外周側へ設定する移動方向設定手段と、
前記移動方向設定手段によって設定された移動方向に、光ピックアップを予め設定された所定距離だけ移動させる駆動制御手段と、
前記駆動制御手段によって光ピックアップが移動される度に、ＢＣＡ情報又はＮＢＣＡ情報を読み取る読取実行手段と、
を備えることを特徴とする光ディスク再生装置。
【請求項３】
前記第１判定手段は、トラッキングエラー信号に基づいて、ミラー領域に位置しているか否かを判定することを特徴とする請求項２に記載の光ディスク再生装置。
【請求項４】
前記第１判定手段は、トラッキングエラー信号の振幅が予め設定された所定の閾値以下である場合に、ミラー領域に位置していると判定することを特徴とする請求項３に記載の光ディスク再生装置。
【請求項５】
前記第２判定手段は、前記逆起電力検出手段によって検出された逆起電力が予め設定された所定の閾値以下である場合に、光ピックアップが最内周位置に到達したと判定することを特徴とする請求項２〜請求項４のいずれかに記載の光ディスク再生装置。
【請求項６】
前記所定距離は、０．０７ｍｍ以下に設定されていることを特徴とする請求項２〜請求項５のいずれかに記載の光ディスク再生装置。
【発明の詳細な説明】
【技術分野】
【０００１】
本発明は、光ディスクに格納されたＢＣＡ（Ｂｕｒｓｔ  Ｃｕｔｔｉｎｇ  Ａｒｅａ）情報又はＮＢＣＡ（Ｎａｒｒｏｗ  Ｂｕｒｓｔ  Ｃｕｔｔｉｎｇ  Ａｒｅａ）情報を読み出して再生する光ディスク再生装置に関する。
【背景技術】
【０００２】
従来、ＤＶＤ（Ｄｉｇｉｔａｌ  Ｖｅｒｓａｔｉｌｅ  Ｄｉｓｋ）等の光ディスクに対する著作権保護技術として、ＣＰＲＭ（Ｃｏｎｔｅｎｔ  Ｐｒｏｔｅｃｔｉｏｎ  ｆｏｒ  Ｒｅｃｏｒｄａｂｌｅ  Ｍｅｄｉａ）が知られている。ＣＰＲＭにおいては、光ディスクのリードインエリアよりも更に内周に位置する、ＢＣＡ（Ｂｕｒｓｔ  Ｃｕｔｔｉｎｇ  Ａｒｅａ）又はＮＢＣＡ（Ｎａｒｒｏｗ  Ｂｕｒｓｔ  Ｃｕｔｔｉｎｇ  Ａｒｅａ）に記録された情報が利用される。
【０００３】
ＢＣＡ情報、又はＮＢＣＡ情報を簡素な構成で読み出すために、例えば、ＮＢＣＡの情報を再生する際、スピンドル出力が予め算出された平均値となるように定電圧制御することにより、スピンドルモータの回転数を１４４０ｒｐｍに制御する光ディスク装置が提案されている（特許文献１参照）。
【特許文献１】特開２００６−１７２５９４号公報
【発明の開示】
【発明が解決しようとする課題】
【０００４】
しかしながら、上記の光ディスク装置では、ＦＧ（Ｆｒｅｑｕｅｎｃｙ  Ｇｅｎｅｒａｔｏｒ）を用いることなくＮＢＣＡからの情報の読み出しができるものの、光ピックアップをＢＣＡ（又はＮＢＣＡ）の位置に光ディスクの径方向に正確に移動させる機構（例えば、ステッピングモータを用いる機構、位置を検出するセンサを用いる機構）が必要であるため、製造コストの増大の要因となっていた。
【０００５】
上記の課題に鑑みて、本発明は、簡素な構成でＢＣＡ情報（又はＮＢＣＡ情報）を正確に読み取ることの可能な光ディスク再生装置を提供することを目的としている。
【課題を解決するための手段】
【０００６】
上記目的を達成するために請求項１に記載の光ディスク再生装置は、光ディスクに格納されたＢＣＡ（Ｂｕｒｓｔ  Ｃｕｔｔｉｎｇ  Ａｒｅａ）情報又はＮＢＣＡ（Ｎａｒｒｏｗ  Ｂｕｒｓｔ  Ｃｕｔｔｉｎｇ  Ａｒｅａ）情報を読み出して再生する光ディスク再生装置であって、光ピックアップが、ＢＣＡ又はＮＢＣＡの外周側に形成された未記録領域であるミラー領域に位置しているか否かを判定する第１判定手段と、光ピックアップを光ディスクの径方向に駆動するスレッドモータの逆起電力を検出する逆起電力検出手段と、前記逆起電力検出手段によって検出された逆起電力に基づいて、光ピックアップが最内周位置に到達したか否かを判定する第２判定手段と、前記第１判定手段によって、光ピックアップがミラー領域に位置していると判定された場合に光ピックアップの移動方向を内周側へ設定すると共に、前記第２判定手段によって、光ピックアップが最内周位置に到達したと判定された場合に、光ピックアップの移動方向を外周側へ設定する移動方向設定手段と、前記移動方向設定手段によって設定された移動方向に、光ピックアップを予め設定された所定距離だけ移動させる駆動制御手段と、前記駆動制御手段によって光ピックアップが移動される度に、ＢＣＡ情報又はＮＢＣＡ情報を読み取る読取実行手段と、を備え、前記第１判定手段が、トラッキングエラー信号の振幅が予め設定された所定の閾値以下である場合に、ミラー領域に位置していると判定し、前記第２判定手段が、前記逆起電力検出手段によって検出された逆起電力が予め設定された所定の閾値以下である場合に、光ピックアップが最内周位置に到達したと判定し、前記所定距離が、０．０７ｍｍ以下に設定されていることを特徴としている。
【０００７】
請求項２に記載の光ディスク再生装置は、光ディスクに格納されたＢＣＡ（Ｂｕｒｓｔ  Ｃｕｔｔｉｎｇ  Ａｒｅａ）情報又はＮＢＣＡ（Ｎａｒｒｏｗ  Ｂｕｒｓｔ  Ｃｕｔｔｉｎｇ  Ａｒｅａ）情報を読み出して再生する光ディスク再生装置であって、光ピックアップが、ＢＣＡ又はＮＢＣＡの外周側に形成された未記録領域であるミラー領域に位置しているか否かを判定する第１判定手段と、光ピックアップを光ディスクの径方向に駆動するスレッドモータの逆起電力を検出する逆起電力検出手段と、前記逆起電力検出手段によって検出された逆起電力に基づいて、光ピックアップが最内周位置に到達したか否かを判定する第２判定手段と、前記第１判定手段によって、光ピックアップがミラー領域に位置していると判定された場合に光ピックアップの移動方向を内周側へ設定すると共に、前記第２判定手段によって、光ピックアップが最内周位置に到達したと判定された場合に、光ピックアップの移動方向を外周側へ設定する移動方向設定手段と、前記移動方向設定手段によって設定された移動方向に、光ピックアップを予め設定された所定距離だけ移動させる駆動制御手段と、前記駆動制御手段によって光ピックアップが移動される度に、ＢＣＡ情報又はＮＢＣＡ情報を読み取る読取実行手段と、を備えることを特徴としている。
【０００８】
請求項３に記載の光ディスク再生装置は、請求項２に記載の光ディスク再生装置であって、前記第１判定手段が、トラッキングエラー信号に基づいて、ミラー領域に位置しているか否かを判定することを特徴としている。
【０００９】
請求項４に記載の光ディスク再生装置は、請求項３に記載の光ディスク再生装置であって、前記第１判定手段が、トラッキングエラー信号の振幅が予め設定された所定の閾値以下である場合に、ミラー領域に位置していると判定することを特徴としている。
【００１０】
請求項５に記載の光ディスク再生装置は、請求項２〜請求項４のいずれかに記載の光ディスク再生装置であって、前記第２判定手段が、前記逆起電力検出手段によって検出された逆起電力が予め設定された所定の閾値以下である場合に、光ピックアップが最内周位置に到達したと判定することを特徴としている。
【００１１】
請求項６に記載の光ディスク再生装置は、請求項２〜請求項５のいずれかに記載の光ディスク再生装置であって、前記所定距離が０．０７ｍｍ以下に設定されていることを特徴としている。
【発明の効果】
【００１２】
請求項１に記載の光ディスク再生装置によれば、光ピックアップが、ＢＣＡ又はＮＢＣＡの外周側に形成された未記録領域であるミラー領域に位置しているか否かが判定される。また、光ピックアップを光ディスクの径方向に駆動するスレッドモータの逆起電力が検出され、検出された逆起電力に基づいて、光ピックアップが最内周位置に到達したか否かが判定される。そして、光ピックアップがミラー領域に位置していると判定された場合に光ピックアップの移動方向が内周側へ設定されると共に、光ピックアップが最内周位置に到達したと判定された場合に、光ピックアップの移動方向が外周側へ設定される。更に、設定された移動方向に、光ピックアップが予め設定された所定距離だけ移動され、光ピックアップが移動される度に、ＢＣＡ情報又はＮＢＣＡ情報が読み取られるため、簡素な構成でＢＣＡ情報（又はＮＢＣＡ情報）を正確に読み取ることができる。
【００１３】
すなわち、逆起電力に基づいて、光ピックアップが最内周位置に到達したか否かが判定されるため、光ピックアップが最内周位置に到達したことを検出するセンサを配設する必要がなく、また、光ピックアップがミラー領域に位置していると判定された場合に光ピックアップの移動方向が内周側へ設定されると共に、光ピックアップが最内周位置に到達したと判定された場合に、光ピックアップの移動方向が外周側へ設定され、設定された移動方向に、光ピックアップが予め設定された所定距離だけ移動され、光ピックアップが移動される度に、ＢＣＡ情報又はＮＢＣＡ情報が読み取られるため、ＢＣＡ情報又はＮＢＣＡ情報の読み取りに失敗した場合にも、光ピックアップを適正な方向に移動させながらＢＣＡ情報又はＮＢＣＡ情報を読み取ることができるので、簡素な構成でＢＣＡ情報（又はＮＢＣＡ情報）を正確に読み取ることができるのである。
【００１４】
また、トラッキングエラー信号に基づいて、ミラー領域に位置しているか否かが判定されるため、簡素な構成でミラー領域に位置しているか否かを判定することができるので、更に簡素な構成でＢＣＡ情報（又はＮＢＣＡ情報）を正確に読み取ることができる。
【００１５】
更に、トラッキングエラー信号の振幅が予め設定された所定の閾値以下である場合に、ミラー領域に位置していると判定されるため、更に簡素な構成でミラー領域に位置しているか否かを判定することができるので、更に簡素な構成でＢＣＡ情報（又はＮＢＣＡ情報）を正確に読み取ることができる。
【００１６】
加えて、検出された逆起電力が予め設定された所定の閾値以下である場合に、光ピックアップが最内周位置に到達したと判定されるため、簡素な構成で光ピックアップが最内周位置に到達したか否かを判定することができるので、更に簡素な構成でＢＣＡ情報（又はＮＢＣＡ情報）を正確に読み取ることができる。
【００１７】
また、所定距離が０．０７ｍｍ以下に設定されているため、ＢＣＡ情報（又はＮＢＣＡ情報）を更に正確に読み取ることができる。
【００１８】
すなわち、光ディスク２上のＢＣＡ又はＮＢＣＡが形成されている位置が、センターホールの中心からの距離として、ＢＤ（＝Ｂｌｕ−ｌａｙ  Ｄｉｓｋ）では、２１．３ｍｍ〜２２．０ｍｍ、ＤＶＤ−ＲＯＭでは、２２．３ｍｍ〜２３．５ｍｍ、ＤＶＤ−Ｒ／−ＲＷでは、２２．７１ｍｍ〜２３．５１ｍｍと規定されているため、光ピックアップを０．０７ｍｍ（＝２２．０ｍｍ−２１．３ｍｍ）以下に設定された所定距離（例えば、０．０５ｍｍ）だけ移動させる度にＢＣＡ情報又はＮＢＣＡ情報が読み取られるので、ＢＣＡ情報（又はＮＢＣＡ情報）を更に正確に読み取ることができるのである。
【００１９】
請求項２に記載の光ディスク再生装置によれば、光ピックアップが、ＢＣＡ又はＮＢＣＡの外周側に形成された未記録領域であるミラー領域に位置しているか否かが判定される。また、光ピックアップを光ディスクの径方向に駆動するスレッドモータの逆起電力が検出され、検出された逆起電力に基づいて、光ピックアップが最内周位置に到達したか否かが判定される。そして、光ピックアップがミラー領域に位置していると判定された場合に光ピックアップの移動方向が内周側へ設定されると共に、光ピックアップが最内周位置に到達したと判定された場合に、光ピックアップの移動方向が外周側へ設定される。更に、設定された移動方向に、光ピックアップが予め設定された所定距離だけ移動され、光ピックアップが移動される度に、ＢＣＡ情報又はＮＢＣＡ情報が読み取られるため、簡素な構成でＢＣＡ情報（又はＮＢＣＡ情報）を正確に読み取ることができる。
【００２０】
すなわち、逆起電力に基づいて、光ピックアップが最内周位置に到達したか否かが判定されるため、光ピックアップが最内周位置に到達したことを検出するセンサを配設する必要がなく、また、光ピックアップがミラー領域に位置していると判定された場合に光ピックアップの移動方向が内周側へ設定されると共に、光ピックアップが最内周位置に到達したと判定された場合に、光ピックアップの移動方向が外周側へ設定され、設定された移動方向に、光ピックアップが予め設定された所定距離だけ移動され、光ピックアップが移動される度に、ＢＣＡ情報又はＮＢＣＡ情報が読み取られるため、ＢＣＡ情報又はＮＢＣＡ情報の読み取りに失敗した場合にも、光ピックアップを適正な方向に移動させながらＢＣＡ情報又はＮＢＣＡ情報を読み取ることができるので、簡素な構成でＢＣＡ情報（又はＮＢＣＡ情報）を正確に読み取ることができるのである。
【００２１】
請求項３に記載の光ディスク再生装置によれば、トラッキングエラー信号に基づいて、ミラー領域に位置しているか否かが判定されるため、簡素な構成でミラー領域に位置しているか否かを判定することができるので、更に簡素な構成でＢＣＡ情報（又はＮＢＣＡ情報）を正確に読み取ることができる。
【００２２】
請求項４に記載の光ディスク再生装置によれば、トラッキングエラー信号の振幅が予め設定された所定の閾値以下である場合に、ミラー領域に位置していると判定されるため、更に簡素な構成でミラー領域に位置しているか否かを判定することができるので、更に簡素な構成でＢＣＡ情報（又はＮＢＣＡ情報）を正確に読み取ることができる。
【００２３】
請求項５に記載の光ディスク再生装置によれば、検出された逆起電力が予め設定された所定の閾値以下である場合に、光ピックアップが最内周位置に到達したと判定されるため、簡素な構成で光ピックアップが最内周位置に到達したか否かを判定することができるので、更に簡素な構成でＢＣＡ情報（又はＮＢＣＡ情報）を正確に読み取ることができる。
【００２４】
請求項６に記載の光ディスク再生装置によれば、所定距離が０．０７ｍｍ以下に設定されているため、ＢＣＡ情報（又はＮＢＣＡ情報）を更に正確に読み取ることができる。
【００２５】
すなわち、ディスク上のＢＣＡ又はＮＢＣＡが形成されている位置が、センターホールの中心からの距離として、例えば、ＢＤ（＝Ｂｌｕ−ｌａｙ  Ｄｉｓｋ）では、２１．３ｍｍ〜２２．０ｍｍ、ＤＶＤ−ＲＯＭでは、２２．３ｍｍ〜２３．５ｍｍ、ＤＶＤ−Ｒ／−ＲＷでは、２２．７１ｍｍ〜２３．５１ｍｍと規定されているため、光ピックアップを０．０７ｍｍ（＝２２．０ｍｍ−２１．３ｍｍ）以下に設定された所定距離（例えば、０．０５ｍｍ）だけ移動させる度にＢＣＡ情報又はＮＢＣＡ情報が読み取られるので、ＢＣＡ情報（又はＮＢＣＡ情報）を更に正確に読み取ることができるのである。
【発明を実施するための最良の形態】
【００２６】
以下に本発明の実施形態を、図面を参照しながら説明する。図１は、本発明に係るＤＶＤプレーヤの一例を示す構成図である。ＤＶＤプレーヤ１００（光ディスク再生装置に相当する）は、本発明に係る光ピックアップ１、出力装置３、制御装置４、駆動装置５、表示部６、及び、操作部７を備えている。
【００２７】
光ピックアップ１は、ＣＤ用ＬＤ（Ｌａｓｅｒ  Ｄｉｏｄｅ）及びＤＶＤ用ＬＤを備え、再生する対象の光ディスク２（ＣＤ又はＤＶＤ）からの反射光を電気信号に変換し、光ディスク２（ＣＤ、又は、ＤＶＤ）に格納された音声情報、画像情報等の各種情報の読み取りを行うものである。ＣＤ用ＬＤは、ＣＤに格納された情報を読み取るレーザ光を照射するものである。ＤＶＤ用ＬＤは、ＤＶＤに格納された情報を読み取るレーザ光を照射するものである。
【００２８】
また、光ピックアップ１（第１判定手段の一部、読取実行手段の一部に相当する）は、スレッドモータ５１によって、光ディスク２の径方向、及び、垂直方向（近接、離間方向）に移動可能に構成されている。更に、光ピックアップ１は、ＤＳＰ３２からの指示に従ってスレッドモータ５１を介して光ディスク２の垂直方向に移動されると共に、後述するＲＦアンプ３１を介してＤＳＰ３２に対してフォーカシングエラー信号、及び、トラッキングエラー信号等を出力するものである。
【００２９】
出力装置３は、光ピックアップ１からの音声情報、画像情報等の情報を、音声及び画像に変換して、それぞれ、図略のスピーカ及びモニタに出力するものであって、ＲＦアンプ３１、ＤＳＰ（Ｄｉｇｉｔａｌ  Ｓｉｇｎａｌ  Ｐｒｏｃｅｓｓｏｒ）３２、再生処理回路３３、及び、出力回路３４を備えている。
【００３０】
ＲＦアンプ３１（第１判定手段の一部、読取実行手段の一部に相当する）は、光ピックアップ１からの音声情報、画像情報等に対応する信号を増幅するものであって、ＣＤ用ＬＤ又はＤＶＤ用ＬＤからの照射光の焦点位置の、再生対象の光ディスク２（ＣＤ又はＤＶＤ）における記録面の位置に対するズレ量を示すフォーカシングエラー信号（＝ＦＥ信号）、及び、再生対象の光ディスク２（ＣＤ又はＤＶＤ）のトラックからのズレ量を示すトラッキングエラー信号（＝ＴＥ信号）等をＤＳＰ３２に対して出力するものである。
【００３１】
ＤＳＰ３２及び再生処理回路３３は、ＲＦアンプ３１からの信号に対して、再生のための各種情報処理（例えば画像処理等）を施すものである。出力回路３４は、再生処理回路３３からの情報を、図略のスピーカ及びモニタに出力するためにＤＡ変換処理等を行うものである。
【００３２】
制御装置４は、操作部７を介して受け付けた指示操作に基づいて、光ピックアップ１及び駆動装置５の動作を制御するものであって、システムコントローラ４１、及びドライバ４２を備えている。システムコントローラ４１は、操作部７からの情報を受け付けてＤＳＰ３２に伝送すると共に、ＤＳＰ３２からの情報を表示部６に伝送するものである。ドライバ４２（駆動制御手段の一部に相当する）は、ＤＳＰ３２からの指示に基づいて、光ピックアップ１及び駆動装置５の動作を制御するものである。
【００３３】
駆動装置５は、スレッドモータ５１及びスピンドルモータ５２を備える。スレッドモータ５１は、ＤＣモータ等からなり、ドライバ４２からの指示に基づいて光ピックアップ１を光ディスク２の径方向及び垂直方向に移動させるものである。スピンドルモータ５２は、ＤＣモータ等からなり、ドライバ４２からの指示に基づいて光ディスク２を回転駆動するものである。
【００３４】
表示部６は、ＬＣＤ（Ｌｉｑｕｉｄ  Ｃｒｙｓｔａｌ  Ｄｉｓｐｌａｙ）等を備え、ＤＳＰ３２からの情報を外部から視認可能に表示するものである。操作部７は、種々の操作ボタン等を備え、ユーザからの操作を受け付けて、ＤＳＰ３２に対応する操作信号を出力するものである。
【００３５】
図２は、本発明に係るＤＶＤプレーヤ１００における主要部の構成の一例を示す機能構成図である。ＤＳＰ３２は、ＭＰＵ（Ｍｉｃｒｏ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、及び、図略のＲＯＭ（Ｒｅａｄ  Ｏｎｌｙ  Ｍｅｍｏｒｙ）を備えている。ＭＰＵは、機能的に、予備処理部３２１、ＴＥ検出部３２２、第１判定部３２３、逆起電力検出部３２４、第２判定部３２５、移動方向設定部３２６、駆動制御部３２７、及び、読取実行部３２８を備え、ＲＡＭは、機能的に、方向記憶部３２９を備えている。
【００３６】
ここでは、ＭＰＵが、図略のＲＯＭ等に予め格納された制御プログラムを読み出して実行することにより、予備処理部３２１、ＴＥ検出部３２２、第１判定部３２３、逆起電力検出部３２４、第２判定部３２５、移動方向設定部３２６、駆動制御部３２７、読取実行部３２８等の機能部として機能すると共に、ＲＡＭを、方向記憶部３２９等の機能部として機能させるものである。
【００３７】
また、ＲＡＭ又は図略のＲＯＭに格納された各種データのうち装着脱可能な記録媒体に格納され得るデータは、例えばハードディスクドライブ、光ディスクドライブ、フレキシブルディスクドライブ、シリコンディスクドライブ、カセット媒体読み取り機等のドライバで読み取り可能にしてもよく、この場合、記録媒体は、例えばハードディスク、光ディスク、フレキシブルディスク、ＣＤ、ＤＶＤ、半導体メモリ等である。
【００３８】
方向記憶部３２９は、移動方向設定部３２６によって設定された移動方向を格納するものである。具体的には、方向記憶部３２９は、移動方向が内周側へ移動する方向であるか、又は、外周側へ移動する方向であるかを示す移動方向フラグを格納するものである。例えば、移動方向フラグが「１」の場合には、内周側へ移動する方向であることを示し、移動方向フラグが「０」の場合には、外周側へ移動する方向であることを示すものである。
【００３９】
予備処理部３２１は、ドライバ４２を介してスピンドルモータ５２を定電圧駆動（又は、ＣＡＶ（Ｃｏｎｓｔａｎｔ  Ａｎｇｕｌａｒ  Ｖｅｌｏｃｉｔｙ）制御）に切り換えると共に、トラッキングサーボをＯＦＦし、光ピックアップ１の移動方向を内周側へ移動する方向に初期設定するものである。
【００４０】
ＴＥ検出部３２２（第１判定手段の一部に相当する）は、光ピックアップ１及びＲＦアンプ３１を介して、再生対象の光ディスク２（ＣＤ又はＤＶＤ）のトラックからのズレ量を示すトラッキングエラー信号を検出するものである。
【００４１】
第１判定部３２３（第１判定手段の一部に相当する）は、光ピックアップが、ＢＣＡ又はＮＢＣＡの外周側に形成された未記録領域であるミラー領域に位置しているか否かを判定するものである。具体的には、第１判定部３２３は、ＴＥ検出部３２２によって検出されたトラッキングエラー信号の振幅Ａが予め設定された所定の閾値ＡＳＨ以下である場合に、ミラー領域に位置していると判定するものである（図３参照）。
【００４２】
ここで、図５を用いて、光ディスク２の構成について説明する。図６の（ａ）は、光ディスク２の構成の一例を示す説明図である。光ディスク２は、内周側から順に、センターホール２１、ＢＣＡ（又はＮＢＣＡ）２２、ミラー領域２３、及び、データ記憶領域２４を備えている。ＢＣＡ（又はＮＢＣＡ）２２は、センターホール２１とミラー領域２３との間に形成され、バーコード情報がエッチング形成されたものである。ミラー領域２３は、ＢＣＡ（又はＮＢＣＡ）２２とデータ記憶領域２４との間に形成された未記録領域である。ミラー領域２３は、未記録領域であるため、トラッキングエラー信号の振幅が略零となるため、第１判定部３２３は、トラッキングエラー信号の振幅Ａが予め設定された所定の閾値ＡＳＨ以下である場合に、ミラー領域に位置していると判定するものである（図３参照）。
【００４３】
また、光ディスク２上のＢＣＡ（又はＮＢＣＡ）２２が形成されている径方向の位置は、センターホール２１の中心からの距離として、例えば、ＢＤ（＝Ｂｌｕ−ｌａｙ  Ｄｉｓｋ）では、２１．３ｍｍ〜２２．０ｍｍ、ＤＶＤ−ＲＯＭでは、２２．３ｍｍ〜２３．５ｍｍ、ＤＶＤ−Ｒ／−ＲＷでは、２２．７１ｍｍ〜２３．５１ｍｍと規定されている。従って、後述するように、駆動制御部３２７が、光ピックアップ１を径方向に０．０５ｍｍだけ移動し、読取実行部３２８が、駆動制御部３２７によって光ピックアップ１が移動される度に、ＢＣＡ情報又はＮＢＣＡ情報を読み取ることによって、ＢＣＡ情報（又はＮＢＣＡ情報）を正確に読み取ることができるのである。
【００４４】
再び、図２を用いて、ＤＳＰ３２の機能構成について説明する。逆起電力検出部３２４（逆起電力検出手段に相当する）は、光ピックアップ１を光ディスク２の径方向に駆動するスレッドモータ５１の逆起電力を検出するものである。具体的には、駆動制御部３２７によって、光ピックアップ１が所定距離（ここでは、０．０５ｍｍ）だけ移動された場合に、逆起電力検出部３２４は、所定距離（ここでは、０．０５ｍｍ）だけ移動される間の平均の逆起電力を検出するものである。
【００４５】
第２判定部３２５（第２判定手段に相当する）は、逆起電力検出部３２４によって検出された逆起電力に基づいて、光ピックアップ１が最内周位置に到達したか否かを判定するものである。具体的には、第２判定部３２５は、逆起電力検出部３２４によって検出された逆起電力Ｖが予め設定された所定の閾値ＶＳＨ以下である場合に、光ピックアップ１が最内周位置に到達したと判定するものである（図５参照）。
【００４６】
すなわち、駆動制御部３２７によって、内周側へ移動するべく駆動された場合であっても、光ピックアップ１が最内周位置に到達すると、光ピックアップ１は移動しないため逆起電力Ｖが発生しない。そこで、逆起電力Ｖが予め設定された所定の閾値ＶＳＨ以下である場合に、光ピックアップ１が最内周位置に到達したと判定することができるのである。
【００４７】
移動方向設定部３２６（移動方向設定手段に相当する）は、第１判定部３２３によって、光ピックアップ１がミラー領域２３（図５（ａ）参照）に位置していると判定された場合に光ピックアップ１の移動方向を内周側へ設定すると共に、第２判定部３２５によって、光ピックアップ１が最内周位置に到達したと判定された場合に、光ピックアップ１の移動方向を外周側へ設定するものである。また、移動方向設定部３２６は、移動方向を内周側へ設定した場合に、移動方向フラグを「１」として方向記憶部３２９に格納し、移動方向を外周側へ設定した場合に、移動方向フラグを「０」として方向記憶部３２９に格納するものである。
【００４８】
また、移動方向設定部３２６は、移動方向を変更する度に、リトライ回数をカウントするカウンタＲＴＮをカウントアップし、カウンタＲＴＮの値が予め設定された回数（例えば、１０回）以上となった場合に、ＢＣＡ情報（又はＮＢＣＡ情報）を読み取ることができない（＝エラーが発生した）と判定し、駆動制御部３２７による光ピックアップ１の移動及び読取実行部３２８によるＢＣＡ情報（又はＮＢＣＡ情報）の読み取りを終了するものである。
【００４９】
駆動制御部３２７（駆動制御手段の一部に相当する）は、ドライバ４２及びスレッドモータ５１を介して、移動方向設定部３２６によって設定された移動方向に、光ピックアップ１を予め設定された所定距離Ｌ（ここでは、Ｌ＝０．０５ｍｍ）だけ移動させるものである。
【００５０】
読取実行部３２８（読取実行手段の一部に相当する）は、駆動制御部３２７によって光ピックアップ１が移動される度に、ＢＣＡ情報又はＮＢＣＡ情報を読み取るものである。具体的には、読取実行部３２８は、ＲＦ欠落信号（以下、ディフェクト信号という）を検出して、ＢＣＡ（又はＮＢＣＡ）情報を読み取るものである。ここで、ディフェクト信号は、通常はＬｏレベルであり、光ディスク２からの反射が汚れ等により欠落した箇所でＨｉｇｈレベルを出力する信号である。
【００５１】
図５（ｂ）は、ディフェクト信号の一例を示す図である。図に示すように、ＢＣＡ（又はＮＢＣＡ）でのバーコードに対応する箇所では、ディフェクト信号がＨｉｇｈレベルとして出力される。
【００５２】
図３、図４は、本発明に係るＤＶＤプレーヤ１００（主に、ＤＳＰ３２）の動作の一例を示すフローチャートである。まず、予備処理部３２１によって、スピンドルモータ５２が定電圧駆動に切り換えられる（Ｓ１０１）。そして、予備処理部３２１によって、トラッキングサーボがＯＦＦにされる（Ｓ１０３）。次いで、予備処理部３２１によって、光ピックアップ１の移動方向が内周側へ移動する方向に（＝方向記憶部３２９に格納された移動方向フラグが「１」に）初期設定される（Ｓ１０５）。
【００５３】
次に、駆動制御部３２７によって、光ピックアップ１が内周側へ移動され、ＴＥ検出部３２２によって、トラッキングエラー信号が検出される（Ｓ１０７）。そして、第１判定部３２３によって、ステップＳ１０７において検出されたトラッキングエラー信号の振幅Ａが所定の閾値ＡＳＨ以下であるか否かの判定が行われる（Ｓ１０９）。閾値ＡＳＨ以下ではないと判定された場合（Ｓ１０９でＮＯ）には、処理がステップＳ１０７に戻され、ステップＳ１０７以降の処理が繰り返し実行される。
【００５４】
閾値ＡＳＨ以下であると判定された場合（Ｓ１０９でＹＥＳ）には、移動方向設定部３２６によって、リトライ回数をカウントするカウンタＲＴＮの値が０に初期設定される（Ｓ１１１）。そして、読取実行部３２８によって、ディフェクト信号が検出される（Ｓ１１３）。次に、読取実行部３２８によって、ステップＳ１１３において検出されたディフェクト信号に基づいて、ＢＣＡ（又はＮＢＣＡ）へ到達したか否かの判定が行われる（Ｓ１１５）。ＢＣＡ（又はＮＢＣＡ）へ到達していないと判定された場合（Ｓ１１５でＮＯ）には、図４に示すステップＳ１２５へ処理が進められる。
【００５５】
ＢＣＡ（又はＮＢＣＡ）へ到達したと判定された場合（Ｓ１１５でＹＥＳ）には、読取実行部３２８によって、ＢＣＡ情報（又はＮＢＣＡ情報）の読み取りが行われる（Ｓ１１７）。そして、読取実行部３２８によって、ステップＳ１１７における読み取りが成功したか否かの判定が行われる（Ｓ１１９）。読み取りが成功したと判定された場合（Ｓ１１９でＹＥＳ）には、移動方向設定部３２６によって、カウンタＲＴＮの値が１０以上であるか否か（＝リトライ回数が１０回以上であるか否か）の判定が行われる（Ｓ１２１）。カウンタＲＴＮの値が１０以上であると判定された場合（Ｓ１２１でＹＥＳ）には、移動方向設定部３２６によって、エラーが発生したと判定され（Ｓ１２３）、処理が終了される。カウンタＲＴＮの値が１０以上ではない（＝９以下である）と判定された場合（Ｓ１２１でＮＯ）には、処理が図４に示すステップＳ１２５に進められる。
【００５６】
ステップＳ１１５でＮＯの場合、又は、ステップＳ１２１でＮＯの場合には、図４に示すように、駆動制御部３２７によって、方向記憶部３２９に格納された移動方向フラグの示す方向に光ピックアップ１が、０．０５ｍｍだけ移動される（Ｓ１２５）。そして、第２判定部３２５によって、方向記憶部３２９に格納された移動方向フラグの示す方向が内周側の方向であるか否かの判定が行われる（Ｓ１２７）。
【００５７】
内周側の方向であると判定された場合（Ｓ１２７でＹＥＳ）には、逆起電力検出部３２４によって、スレッドモータ５１の逆起電力が検出される（Ｓ１２９）。そして、第２判定部３２５によって、逆起電力Ｖが所定の閾値ＶＳＨ以下であるか否かの判定が行われる（Ｓ１３１）。所定の閾値ＶＳＨ以下ではない（＝所定の閾値ＶＳＨ超である）と判定された場合（Ｓ１３１でＮＯ）には、処理が図３に示すステップＳ１１３に戻され、ステップＳ１１３以降の処理が繰り返し実行される。所定の閾値ＶＳＨ以下であると判定された場合（Ｓ１３１でＮＯ）には、移動方向設定部３２６によって、光ピックアップ１の移動方向が外周側へ設定され、方向記憶部３２９に格納された移動方向フラグが「０」とされる（Ｓ１３３）。そして、移動方向設定部３２６によって、カウンタＲＴＮの値が１だけインクリメントされ（Ｓ１３５）、処理が図３に示すステップＳ１１３に戻され、ステップＳ１１３以降の処理が繰り返し実行される。
【００５８】
ステップＳ１２７でＮＯの場合には、ＴＥ検出部３２２によって、トラッキングエラー信号が検出される（Ｓ１３７）。そして、第１判定部３２３によって、ステップＳ１３７において検出されたトラッキングエラー信号の振幅Ａが所定の閾値ＡＳＨ以下であるか否かの判定が行われる（Ｓ１３９）。振幅Ａが所定の閾値ＡＳＨ以下ではない（＝所定の閾値ＡＳＨ超である）と判定された場合（Ｓ１３９でＮＯ）には、処理が図３に示すステップＳ１１３に戻され、ステップＳ１１３以降の処理が繰り返し実行される。振幅Ａが所定の閾値ＡＳＨ以下であると判定された場合（Ｓ１３９でＹＥＳ）には、移動方向設定部３２６によって、光ピックアップ１の移動方向が内周側へ設定され、方向記憶部３２９に格納された移動方向フラグが「１」とされる（Ｓ１４１）。そして、移動方向設定部３２６によって、カウンタＲＴＮの値が１だけインクリメントされ（Ｓ１４３）、処理が図３に示すステップＳ１１３に戻され、ステップＳ１１３以降の処理が繰り返し実行される。
【００５９】
このようにして、光ピックアップ１が、ＢＣＡ（又はＮＢＣＡ）２２の外周側に形成された未記録領域であるミラー領域２３（図５（ａ）参照）に位置しているか否かが判定される。また、光ピックアップ１を光ディスクの径方向に駆動するスレッドモータ５１の逆起電力Ｖが検出され、検出された逆起電力Ｖに基づいて、光ピックアップ１が最内周位置に到達したか否かが判定される。そして、光ピックアップ１がミラー領域２３に位置していると判定された場合に光ピックアップ１の移動方向が内周側へ設定されると共に、光ピックアップ１が最内周位置に到達したと判定された場合に、光ピックアップ１の移動方向が外周側へ設定される。更に、設定された移動方向に、光ピックアップ１が予め設定された所定距離（ここでは、０．０５ｍｍ）だけ移動され、光ピックアップ１が移動される度に、ＢＣＡ情報又はＮＢＣＡ情報が読み取られるため、簡素な構成でＢＣＡ情報（又はＮＢＣＡ情報）を正確に読み取ることができる。
【００６０】
すなわち、逆起電力Ｖに基づいて、光ピックアップ１が最内周位置に到達したか否かが判定されるため、光ピックアップ１が最内周位置に到達したことを検出するセンサを配設する必要がなく、また、光ピックアップ１がミラー領域２３に位置していると判定された場合に光ピックアップ１の移動方向が内周側へ設定されると共に、光ピックアップ１が最内周位置に到達したと判定された場合に、光ピックアップ１の移動方向が外周側へ設定され、設定された移動方向に、光ピックアップ１が予め設定された所定距離（ここでは、０．０５ｍｍ）だけ移動され、光ピックアップ１が移動される度に、ＢＣＡ情報又はＮＢＣＡ情報が読み取られるため、ＢＣＡ情報又はＮＢＣＡ情報の読み取りに失敗した場合にも、光ピックアップ１を適正な方向に移動させながらＢＣＡ情報又はＮＢＣＡ情報を読み取ることができるので、簡素な構成でＢＣＡ情報（又はＮＢＣＡ情報）を正確に読み取ることができるのである。
【００６１】
また、トラッキングエラー信号に基づいて、ミラー領域２３に位置しているか否かが判定されるため、簡素な構成でミラー領域２３に位置しているか否かを判定することができるので、更に簡素な構成でＢＣＡ情報（又はＮＢＣＡ情報）を正確に読み取ることができる。
【００６２】
更に、トラッキングエラー信号の振幅Ａが予め設定された所定の閾値ＡＳＨ以下である場合に、ミラー領域２３に位置していると判定されるため、更に簡素な構成でミラー領域２３に位置しているか否かを判定することができるので、更に簡素な構成でＢＣＡ情報（又はＮＢＣＡ情報）を正確に読み取ることができる。
【００６３】
加えて、検出された逆起電力Ｖが予め設定された所定の閾値ＶＳＨ以下である場合に、光ピックアップが最内周位置に到達したと判定されるため、簡素な構成で光ピックアップ１が最内周位置に到達したか否かを判定することができるので、更に簡素な構成でＢＣＡ情報（又はＮＢＣＡ情報）を正確に読み取ることができる。
【００６４】
また、所定距離Ｌが０．０７ｍｍ以下に設定されているため、ＢＣＡ情報（又はＮＢＣＡ情報）を更に正確に読み取ることができる。
【００６５】
すなわち、光ディスク２上のＢＣＡ（又はＮＢＣＡ）２２が形成されている位置が、センターホール２１の中心からの距離として、ＢＤ（＝Ｂｌｕ−ｌａｙ  Ｄｉｓｋ）では、２１．３ｍｍ〜２２．０ｍｍ、ＤＶＤ−ＲＯＭでは、２２．３ｍｍ〜２３．５ｍｍ、ＤＶＤ−Ｒ／−ＲＷでは、２２．７１ｍｍ〜２３．５１ｍｍと規定されている（図５（ａ）参照）ため、光ピックアップを０．０７ｍｍ（＝２２．０ｍｍ−２１．３ｍｍ）以下に設定された所定距離（ここでは、０．０５ｍｍ）だけ移動させる度にＢＣＡ情報又はＮＢＣＡ情報が読み取られるので、ＢＣＡ情報（又はＮＢＣＡ情報）を更に正確に読み取ることができるのである。
【００６６】
なお、本発明は、以下の形態にも適用可能である。
（Ａ）本実施形態では、光ピックアップ１が２個の光源（＝ＣＤ用ＬＤ及びＤＶＤ用ＬＤ）を有する場合について説明したが、光ピックアップ１が１個の光源を有する形態でもよいし、光ピックアップ１が３個以上の光源を有する形態でもよい。例えば、光ピックアップ１がＣＤ用ＬＤ及びＤＶＤ用ＬＤに加えて、ＢＤ（Ｂｌｕ−ｒａｙ  Ｄｉｓｋ）用ＬＤを備える形態でもよい。
【００６７】
（Ｂ）本実施形態では、ＤＳＰ３２が予備処理部３２１、ＴＥ検出部３２２、第１判定部３２３、逆起電力検出部３２４、第２判定部３２５、移動方向設定部３２６、駆動制御部３２７、読取実行部３２８等の機能部を備える場合について説明したが、ＴＥ検出部３２２、第１判定部３２３、逆起電力検出部３２４、第２判定部３２５、移動方向設定部３２６、駆動制御部３２７、及び、読取実行部３２８の内、少なくとも１の機能部が回路等のハードウェアによって実現されている形態でもよい。
【００６８】
（Ｃ）本実施形態では、第１判定部３２３がトラッキングエラー信号に基づいてミラー領域２３（図５（ａ）参照）に位置しているか否かを判定する場合について説明したが、第１判定部３２３がその他の信号（例えば、フォーカシングエラー信号等）に基づいてミラー領域２３に位置しているか否かを判定する形態でもよい。
【００６９】
（Ｄ）本実施形態では、駆動制御部３２７が光ピックアップ１を０．０５ｍｍだけ移動させる場合について説明したが、駆動制御部３２７が光ピックアップ１を予め設定され、０．０７ｍｍ以下の所定距離Ｌだけ移動させる形態であればよい。例えば、駆動制御部３２７が光ピックアップ１を０．０３ｍｍだけ移動させる形態でもよい。所定距離Ｌが小さい程、ＢＣＡ情報（又はＮＢＣＡ情報）を正確に読み取ることができる。
【図面の簡単な説明】
【００７０】
【図１】は、本発明に係るＤＶＤプレーヤの一例を示す構成図である。
【図２】は、本発明に係るＤＶＤプレーヤにおける主要部の構成の一例を示す機能構成図である。
【図３】は、本発明に係るＤＶＤプレーヤ（主に、ＤＳＰ）の動作の一例を示すフローチャート（前半部）である。
【図４】は、本発明に係るＤＶＤプレーヤ（主に、ＤＳＰ）の動作の一例を示すフローチャート（後半部）である。
【図５】は、光ディスクの構成の一例を示す説明図である。
【符号の説明】
【００７１】
１００    ＤＶＤプレーヤ（光ディスク再生装置）
１    光ピックアップ（第１判定手段の一部、読取実行手段の一部）
２    光ディスク
２１    センターホール
２２    ＢＣＡ（ＮＢＣＡ）
２３    ミラー領域
２４    データ記憶領域
３    出力装置
３１    ＲＦアンプ（第１判定手段の一部、読取実行手段の一部）
３２    ＤＳＰ
３２１    予備処理部
３２２    ＴＥ検出部（第１判定手段の一部）
３２３    第１判定部（第１判定手段の一部）
３２４    逆起電力検出部（逆起電力検出手段）
３２５    第２判定部（第２判定手段）
３２６    移動方向設定部（移動方向設定手段）
３２７    駆動制御部（駆動制御手段の一部）
３２８    読取実行部（読取実行手段の一部）
３２９    方向記憶部
４    制御装置
４２    ドライバ（駆動制御手段の一部）
５    駆動装置
５１    スレッドモータ
５２    スピンドルモータ
【図１】
2008234698.tif 000003
【図２】
2008234698.tif 000004
【図３】
2008234698.tif 000005
【図４】
2008234698.tif 000006
【図５】
2008234698.tif 000007